(57)【要約】【課題】運転手が側面後方から受ける日差しを確実に遮断することができ、しかも軽量で安全な使用が可能になり、その上、極めて簡単な操作で収納することができる車両用サンバイザーを提供する。【解決手段】三点式シートベルト装置ＲのセンターピラーＱに固定された部分に係止する支持端部１を設ける。前面窓ガラスＴ上部の既成サンバイザーＵに係止せしめる係止端部２を設ける。支持端部１から係止端部２の間に形成され、側面窓ガラスを覆う遮蔽部３を設ける。不使用時に運転席若しくは助手席とセンターピラーＱとの間に収納するように構成する。【選択図】図１
0003168808.tif 000002
【実用新案登録請求の範囲】
【請求項１】
車両の運転席若しくは助手席の側面窓ガラスの内側に設置するサンバイザーであって、三点式シートベルト装置のセンターピラーに固定された固定部に係止する支持端部と、前面窓ガラスＴ上部の既成サンバイザーＵに係止せしめる係止端部と、支持端部から係止端部の間に形成され、側面窓ガラスを覆う遮蔽部とで構成され、不使用時に運転席若しくは助手席とセンターピラーとの間に収納するように構成したことを特徴とする車両用サンバイザー。
【請求項２】
前記支持端部は、センターピラーに設置されたショルダーベルトアンカーに係止する係止溝を有し、該ショルダーベルトアンカーから前方に揺動自在に支持するように構成され、前記係止端部は、前記既成サンバイザーとルーフとで形成される隙間に差し込み係止するように構成された請求項１記載の車両用サンバイザー。
【請求項３】
前記支持端部及び係止端部及び遮蔽部は、軽量な板状材若しくはシート状材若しくはフィルム状材のいずれか又はこれらの組合せによって形成された請求項１又は２記載の車両用サンバイザー。
【請求項４】
前記係止溝は、前記遮蔽部の長手方向に沿った長孔状のスライド孔と、該スライド孔から屈曲延長されショルダーベルトアンカーをスライド孔に導入せしめる導入切欠部とを備えた請求項２記載の車両用サンバイザー。
【考案の詳細な説明】
【技術分野】
【０００１】
本考案は、運転手が側面から受ける太陽光線を遮断するのに好適な車両用サンバイザーに係り、特に、側面後方から受ける太陽光線を遮断することができ、不使用時には運転者等の座席の脇に収納することができる車両用サンバイザーに関する。
【背景技術】
【０００２】
車両運転時、日差しが眩しいときに太陽光を遮断する車両用のサンバイザーが使用されている。一般のサンバイザーは、前面窓ガラスの上部に装着され、日差しが眩しいときは、このサンバイザーを目線まで下げて使用する。このとき、運転手の横方向から日差しがあるときは、前方に下ろしたサンバイザーを横方向に回転させて横向きでも使用できるように構成されている。
【０００３】
このような従来のサンバイザーは、前面窓ガラスの上部に装着されているので、特に、サンバイザーを下ろす際に、このサンバイザーがルームミラーに当らないサイズに形成されている。したがって、横の長さに制限があり、横向きで使用する場合、前方に近い横向きの日差しを遮ることは可能でも側面後方からの日差しを遮ることは困難になっている。
【０００４】
一方、目に入ってくる紫外線の量は、実は朝方や夕方のほうが多いことはあまり知られていない。これは、太陽の高さが低い朝方や夕方では日差しが横から眼球のレンズに直接入ることによる。すなわち、一般に日差しが強いと感じる日中は、視線に対して上から照らされるので、この光は、まつ毛やまゆ毛でブロックされる。ところが、朝方や夕方のように、水平方向から入る紫外線は眼球の横方向から直接入ることになる。しかも、眼球に対して横方向から入った光は、黒目の中にあるレンズによって、ちょうど鼻側の白目と黒目の境目の一点に集中することが明らかになっている。しかも、この集中する位置は、他の部分に比べて２０倍も強い紫外線が集まるといわれており、この紫外線がこの白目にシミや翼状片を発生させる原因になるなど、様々な障害をもたらすおそれがある。
【０００５】
このように、運転手の意識に係らず、横からの日差しを遮ることは、眼球に対する紫外線の悪影響を防止する観点から極めて重要である。ところが、これまで、運転手の側面、特に側面後方から入る日差しを十分に遮ることができるサンバイザーは提供されていなかった。
【０００６】
特許文献１に記載されているサンバイザーは、後部ドアの窓の車室側にサンバイザーを装着し、後部座席の側面を遮光するように構成している。すなわち、車両室内のリヤ・ピラーに施された内装部材にサンバイザー格納部を形成し、このサンバイザー格納部に収納したサンバイザーを後部ドアの窓の車室側に展開するように構成したものである。
【０００７】
また、特許文献２には、運転時にサンバイザーの遮光面積を拡張し、駐車時に窓全体を遮光するサンバイザーが提案されている。このサンバイザーによると、通常のサンバイザーのサイズに形成されたメインバイザーと、このメインバイザーから横方向に引き出されるサブバイザーと、更に、メインバイザーとサブバイザーから縦方向に引き出される拡張バイザーと、更にその上、メインバイザーとサブバイザーの内部に収納されたスクリーンといった、多くの部材を備えた構成になっている。
【０００８】
そして、特許文献２のサンバイザーを横向きに使用する場合、メインバイザーからサブバイザーを引き出して、これを横向きに設置するものである。
【先行技術文献】
【特許文献】
【０００９】
【特許文献１】特開平１１−１０５５４６号公報
【特許文献２】特開２０１１−２０６３１号公報
【考案の概要】
【考案が解決しようとする課題】
【００１０】
特許文献１に記載のサンバイザーによると、車両室内のリヤ・ピラーに施された内装部材にサンバイザーを収納するものであるから、後部座席に乗った場合に、側面の日差しを遮ることは可能でも、このサンバイザーを肝心な運転席に利用することはできない。しかも、サンバイザーを折りたたんでリヤ・ピラーの内装部材に収納するので、使用可能な車種が限定されると共に、リヤ・ピラーの付属品になるので極めて高価なものにならざるを得ない。
【００１１】
一方、特許文献２のサンバイザーによると、通常のサンバイザーのサイズに形成されたメインバイザーからサブバイザーを横方向に引き出して使用するので、眩しいと感じてからサンバイザーを横向きにして使用するまでに極めて多くの手間を要するものになる。しかも、このサンバーザー自体が多くの部材を組み合わせて構成したものであるから、重量が重くなり、使用時の安全性に課題を残すものであった。
【００１２】
そこで、本考案は上述の課題を解消すべく案出されたもので、運転手が側面後方から受ける日差しを確実に遮断することができ、しかも軽量で安全な使用が可能になり、その上、極めて簡単な操作で収納することができる車両用サンバイザーの提供を目的とするものである。
【課題を解決するための手段】
【００１３】
上述の目的を達成すべく本考案の第１の手段は、車両の運転席若しくは助手席の側面窓ガラスＳの内側に設置するサンバイザーであって、三点式シートベルト装置ＲのセンターピラーＱに固定された固定部に係止する支持端部１と、前面窓ガラスＴ上部の既成サンバイザーＵに係止せしめる係止端部２と、支持端部１から係止端部２の間に形成され、側面窓ガラスＳを覆う遮蔽部３とで構成され、不使用時に運転席若しくは助手席とセンターピラーＱとの間に収納するように構成したことにある。
【００１４】
第２の手段において、前記支持端部１は、センターピラーＱに設置されたショルダーベルトアンカーＰに係止する係止溝４を有し、該ショルダーベルトアンカーＰから前方に揺動自在に支持するように構成され、前記係止端部２は、前記既成サンバイザーＵとルーフとで形成される隙間に差し込み係止するように構成されている。
【００１５】
第３の手段において、前記支持端部１及び係止端部２及び遮蔽部３は、軽量な板状材若しくはシート状材のいずれか又はこれらの組合せによって形成されている。
【００１６】
第４の手段において、前記係止溝４は、前記遮蔽部３の長手方向に沿った長孔状のスライド孔４Ａと、該スライド孔４Ａから屈曲延長されショルダーベルトアンカーＰをスライド孔４Ａに導入せしめる導入切欠部４Ｂとを備えたことにある。
【考案の効果】
【００１７】
本考案の請求項１に記載のごとく、三点式シートベルト装置ＲのセンターピラーＱに固定された固定部に係止する支持端部１と、前面窓ガラスＴ上部の既成サンバイザーＵに係止せしめる係止端部２と、支持端部１から係止端部２の間に形成され、側面窓ガラスを覆う遮蔽部３とで構成されているので、運転手が側面後方から受ける日差しを確実に遮断することができる。この結果、一般のドライバーは勿論、サングラスの着用が禁止されているタクシードライバーや、日焼け防止を望む女性ドライバーなどにも好適なものである。
【００１８】
しかも、不使用時に運転席若しくは助手席とセンターピラーＱとの間に収納するように構成しているので、運転の妨げにならずに収納できる。
【００１９】
請求項２のように、支持端部１は、センターピラーＱに設置されたショルダーベルトアンカーＰに係止する係止溝４を有し、該ショルダーベルトアンカーＰから前方に揺動自在に支持するように構成されているから、使用時に容易に取り出すことができる。また、係止端部２は、既成サンバイザーＵとルーフとで形成される隙間に差し込み係止するように構成されているので、設置作業も簡単に行える。この結果、運転者が側面からの日差しがまぶしいと感じたときに、即座に取り出して使用することができる。
【００２０】
請求項３のごとく、支持端部１及び係止端部２及び遮蔽部３は、軽量な板状材若しくはシート状材のいずれか又はこれらの組合せによって形成されているので、本考案使用時は勿論、取り出し作業時及び収納作業時のいずれの場合にも安全に行うことができる。
【００２１】
請求項４のように、係止溝４は、前記遮蔽部３の長手方向に沿った長孔状のスライド孔４Ａと、該スライド孔４Ａから屈曲延長されショルダーベルトアンカーＰをスライド孔４Ａに導入せしめる導入切欠部４Ｂとを備えているので、ショルダーベルトアンカーＰに係止する外袋用フィルム１の着脱作業が容易になる。しかも、一旦、ショルダーベルトアンカーＰに係止した後は、不意に外れるおそれがないので、安心して使用することができるものである。
【図面の簡単な説明】
【００２２】
【図１】本考案の使用状態を示す斜視図である。
【図２】本考案の一実施例を示す正面である。
【図３】本考案を係止する三点式シートベルト装置の要部斜視図である。
【図４】本考案の使用状態を外部から見た斜視図である。
【図５】本考案の収納状態を示す斜視図である。
【考案を実施するための形態】
【００２３】
本考案によると、運転手が側面後方から受ける日差しを確実に遮断することができ、しかも軽量で安全な使用が可能になり、その上、極めて簡単な操作で収納することができる車両用サンバイザーを、極めて安価に提供することに成功したものである。
【実施例】
【００２４】
以下、本考案を図示例に基づいて説明する。本考案の基本構成は、支持端部１、係止端部２、遮蔽部３にて構成し（図２参照）、車両の運転席若しくは助手席の側面窓ガラスＳの内側に設置するものである（図４参照）。
【００２５】
支持端部１は、三点式シートベルト装置ＲのセンターピラーＱに固定された固定部に係止する部材である（図１参照）。この支持端部１は、軽量な板状材若しくはシート状材のいずれか又はこれらの組合せによって形成されるもので、この材質は紙、プラスッチック、発泡材、ゴム材など、軽量な板状材若しくはシート状材を形成することができる各種材質を選択して形成されるもものである。図示例では、固定部としてセンターピラーＱに設置されたショルダーベルトアンカーＰを利用し、このショルダーベルトアンカーＰに係止する係止溝４を形成し（図２参照）、該ショルダーベルトアンカーＰから前方に揺動自在に支持するように構成している（図３参照）。また、三点式シートベルト装置Ｒの種類により、センターピラーＱにショルダーベルトアンカーＰが付属していない場合は、三点式シートベルト装置Ｒを支持しているセンターピラーＱの固定部に、ショルダーベルトアンカーＰに代わる任意の突起を装着して支持端部１を係止させることも可能である。
【００２６】
係止溝４は、スライド孔４Ａと導入切欠部４Ｂとで形成したものである（図２参照）。スライド孔４Ａは、遮蔽部３の長手方向に沿った長孔状を成している。一方、導入切欠部４Ｂは、このスライド孔４Ａから屈曲延長された切り欠き状を成している。そして、この導入切欠部４Ｂからスライド孔４Ａに、ショルダーベルトアンカーＰを導入するように形成したものである。このような係止溝４にショルダーベルトアンカーＰが係止すると、スライド孔４ＡからショルダーベルトアンカーＰが不意に脱落するおそれがなくなるものである（図５参照）。
【００２７】
係止端部２は、前面窓ガラスＴ上部の既成サンバイザーＵに係止せしめる部材である（図１参照）。この係止端部２も前記支持端部１と同様に、軽量な板状材若しくはシート状材のいずれか又はこれらの組合せによって形成されるものである。図示の係止端部２は、既成サンバイザーＵとルーフとで形成される隙間に差し込み係止するように構成されている。また、係止端部２の先端部下側縁など任意の部分に切り込み（図示せず）を設け、この切り込みを既成サンバイザーＵや前面窓ガラスＴの上縁部など、前方の適所に係止するように構成することも可能である。
【００２８】
遮蔽部３は、支持端部１から係止端部２の間に形成され、側面窓ガラスＳを覆う部材である（図１参照）。この遮蔽部３もまた、支持端部１、係止端部２と同様に軽量な板状材若しくはシート状材のいずれか又はこれらの組合せによって形成されている。図示例の遮蔽部３は、板紙材によって支持端部１及び遮蔽部３と一体に形成したものを示している（図２参照）。この用に形成することで、極めて安価な提供が可能になる。また、図示例のほか、支持端部１と係止端部２とを弾性のある骨材で形成すると共に、遮蔽部３の輪郭もこの骨材で形成し、シート状材やフィルム状材を貼り付けて遮蔽部３を形成することも可能である（図示せず）。また、図示の遮蔽部３は側面窓ガラスＳの上部を遮蔽するように形成しているが、側面窓ガラスＳ全体を遮蔽するように広く形成することも可能である。
【００２９】
本考案は、軽量な板状材若しくはシート状材のいずれか又はこれらの組合せによって形成されるものであり、不使用時には、運転席若しくは助手席とセンターピラーＱとの間に収納することができるように形成している（図５参照）。すなわち、図１の使用状態から、係止端部２を外すと、遮蔽部３の自重で揺動するので、運転席とセンターピラーＱとの間等にワンタッチで収納できる。一方、収納した状態から使用するには、遮蔽部３を持ち上げて係止端部２を既成サンバイザーＵに係止させるだけのワンタッチで固定することができるものである。
【００３０】
尚、本考案の支持端部１や係止端部２、あるいは遮蔽部３の構成は図示例に限られるものではなく、本考案の要旨を変更しない範囲で自由に設計変更することができる。
【産業上の利用可能性】
【００３１】
本考案において、運転席若しくは助手席の側面窓ガラスＳを遮蔽するサンバイザーとして説明しているが、支持端部１を後部座席のショルダーベルトアンカーＰに係止し、係止端部２をセンターピラーＱのショルダーベルトアンカーＰに係止することで、後部座席の側面窓ガラスＳを遮蔽するサンバイザーとしても利用することが可能である。
【符号の説明】
【００３２】
Ｐ  ショルダーベルトアンカー
Ｑ  センターピラー
Ｒ  三点式シートベルト装置
Ｓ  側面窓ガラス
Ｔ  前面窓ガラス
Ｕ  既成サンバイザー
１  支持端部
２  係止端部
３  遮蔽部
４  係止溝
４Ａ  スライド孔
４Ｂ  導入切欠部
【図１】
0003168808.tif 000003
【図２】
0003168808.tif 000004
【図３】
0003168808.tif 000005
【図４】
0003168808.tif 000006
【図５】
0003168808.tif 000007